(57)【要約】【課題】簡便な構造の浮遊球体を不使用時には折り畳んで小さく収納でき、地震による津浪が発生した際には膨らませて、中空内部空間に人間が入り込めて緊急避難でき、海水に浮遊して救助を求める救助用浮遊体を提供する。【解決手段】中空内部スペース２に人間ｂが入り込めて水面１を浮遊可能である。浮遊球体ａが膨らんだ状態の中空内部スペース２は、少なくとも１人の人間ｂが入り込めるスペースを有し、その中空内部スペース２に通ずる扉体３が、浮遊球体ａの外周面部５の一部に形成され、扉体３の閉じ状態で扉体３の端縁部４が面ファスナー６により閉塞されている。外周面部５に複数の強化板材７・・・が設置されている。【選択図】    図１
2006306259.tif 000002
【特許請求の範囲】
【請求項１】
中空内部スペースに人間が入り込めて水面を浮遊可能な救助用浮遊球体であって、当該浮遊球体が膨らんだ状態の中空内部スペースは、少なくとも１人の人間が入り込めるスペースを有し、その中空内部スペースに通ずる扉体が、当該浮遊球体の外周面部の一部に形成され、前記扉体の閉じ状態で当該扉体の端縁部が面ファスナーにより閉塞されて成ることを特徴とする救助用浮遊球体。
【請求項２】
浮遊球体の外周面部に、六角形状等の強化板材が複数設置されて成ることを特徴とする、請求項１に記載した救助用浮遊球体。
【請求項３】
浮遊球体の外周面部及び強化板材は、半透明のゴム製又はビニール製又はプラスチック製で伸縮自在に形成されていることを特徴とする、請求項１又は２に記載した救助用浮遊球体。
【請求項４】
浮遊球体の外周面部に設置される個々の強化板材には、自発光可能な成分が含有されていることを特徴とする、請求項１〜３のいずれか１項に記載した救助用浮遊球体。
【請求項５】
浮遊球体の外周面部と中空内部スペースを仕切る球体状の内部仕切り面部との間が、膨張室として形成されていることを特徴とする、請求項１〜４のいずれか１項に記載した救助用浮遊球体。
【請求項６】
浮遊球体の外周面部と内部仕切り面部との間の膨張室に、炭酸ガスボンベにより炭酸ガスが充填され、収縮状態の浮遊球体が膨張して球体を維持可能に構成されていることを特徴とする、請求項１〜５のいずれか１項に記載した救助用浮遊球体。
【請求項７】
浮遊球体の外周面部に、吊り環が設けられており、ヘリコプター等からのワイヤーが前記吊り環に引掛けられて当該浮遊球体が引き上げ自在に構成されていることを特徴とする、請求項１〜６のいずれか１項に記載した救助用浮遊球体。
【請求項８】
浮遊球体にＧＰＳが備え付けられていることを特徴とする、請求項１〜７のいずれか１項に記載した救助用浮遊球体。
【発明の詳細な説明】
【技術分野】
【０００１】
本発明は、救助用浮遊球体に関し、さらに言えば、地震による津浪が発生した際に、人間が浮遊球体の中に入り込んで緊急避難し、海水に浮遊して救助を求める救助用浮遊球体の技術分野に属する。
【背景技術】
【０００２】
海底を震源とする巨大地震に起因して招来する津浪は、わずかな時間で陸地に到達し恐ろしい。２００４年（平成１６年）１２月２９日にインドネシアのスマトラ島の北部に起きた所謂スマトラ島沖地震は、その巨大地震によって引き起こさされた津浪が、短時間に周辺国の海岸から陸地へと押し寄せ、甚大な被害を及ぼした。巨大地震が起きた場合、地震国である日本では３０００万人に影響するという試算がある。
【０００３】
津浪が襲来し、一命は助かっても、津浪により破壊された家屋や家具、流木、その他とりわけ尖ったものが物凄い勢いと圧力で流されてくるので、人間はそれら障害物に当たって傷を負いやすい。また、魚に食われる危険性もある。さらに、長い間、津浪（海）に漂流していると低体温の危険もある。仮に海水に漂流しながらヘリコプターによる救助を待っていたのでは、迅速性に欠け命が危ない。
【０００４】
ここで、緊急避難時に人間が乗り込めるカプセル形のものとして、例えば実開昭６３−２８０９７号公開公報にカプセル形救命艇が開示されている。このカプセル形救命艇は、ダビットを上甲板舷側から船外へ突設し、該ダビットに吊下され、その底部を傾斜自在な支板によって支承するようにされている。
【特許文献１】実開昭６３−２８０９７号公開公報
【発明の開示】
【発明が解決しようとする課題】
【０００５】
前記実開昭６３−２８０９７号公開公報に開示されているカプセル形救命艇は、小型化されているといっても、その船長Ｌ＝５ｍ、船幅Ｂ＝２．４ｍ、船高Ｄ＝２ｍであって、なお大きい。しかも船舶における緊急時の救命艇として、船外に常設して格納されているものであり、このカプセル形救命艇を大津浪襲来時に各人が家や事業所で転用することはできない。
【０００６】
したがって、本発明の目的は、簡便な構造の浮遊球体を不使用時には折り畳んで小さく収納でき、地震による津浪が発生した際には、当該浮遊球体を膨らませ、その中空内部空間に人間が入り込めて緊急避難でき、海水に浮遊して救助を求める安全な救助用浮遊体を提供することにある。
【課題を解決するための手段】
【０００７】
上記課題を解決する手段として、請求項１記載の発明は、中空内部スペース２に人間ｂが入り込めて水面１を浮遊可能な救助用浮遊球体ａであって、当該浮遊球体ａが膨らんだ状態の中空内部スペース２は、少なくとも１人の人間ｂが入り込めるスペースを有し、その中空内部スペース２に通ずる扉体３が、当該浮遊球体ａの外周面部５の一部に形成され、前記扉体３の閉じ状態で当該扉体３の端縁部４が面ファスナー６により閉塞されて成ることを特徴とする。
【０００８】
請求項２記載の発明の救助用浮遊球体ａは、その外周面部５に六角形状等の強化板材７・・・が複数設置されて成ることを特徴とする。
【０００９】
請求項３記載の発明の救助用浮遊球体ａは、その外周面部５と同外周面部５に設置される個々の強化板材７が、半透明のゴム製又はビニール製又はプラスチック製で伸縮自在に形成されていることを特徴とする。
【００１０】
請求項４記載の発明の救助用浮遊球体ａは、その外周面部５に設置される個々の強化板材７に、自発光可能な成分が含有されていることを特徴とする。
【００１１】
請求項５記載の発明の救助用浮遊球体ａは、その外周面部５と中空内部スペース２を仕切る球体状の内部仕切り面部１２との間が、膨張室１３として形成されていることを特徴とする。
【００１２】
請求項６記載の発明の救助用浮遊球体ａは、その外周面部５と内部仕切り面部１２との間の膨張室１３に、炭酸ガスボンベ１０により炭酸ガスが充填され、収縮状態の浮遊球体ａが膨張して球体を維持可能に構成されていることを特徴とする。
【００１３】
請求項７記載の発明の救助用浮遊球体ａは、その外周面部５に吊り環８が設けられており、上空のヘリコプター等からのワイヤーが前記吊り環８に引掛けられて当該浮遊球体ａを吊り上げ自在に構成されていることを特徴とする。
【００１４】
請求項８記載の発明の救助用浮遊球体ａは、ＧＰＳ（９）、即ち「全地球測位システム」であるGlobal Positioning Systemが備え付けられていることを特徴とする。
【発明の効果】
【００１５】
請求項１記載の救助用浮遊球体は、膨らんだ状態の中空内部スペースが、少なくとも１人の人間が入り込めるスペースを有し、その中空内部スペースに通ずる扉体が、当該浮遊球体の外周面部の一部に形成され、前記扉体の閉じ状態で当該扉体の端縁部に生じた隙間が面ファスナーにより閉塞されて成るので、地震による津浪が発生した際には、当該浮遊球体の中空内部スペース内に人間が入り込んで緊急避難し、内部に浸水する虞れなく海水に浮遊して安全に待機でき、人命救助に多大に貢献する。
【００１６】
請求項２記載の救助用浮遊球体は、その外周面部に設置し易い六角形状等の強化板材が複数設置されて成るので製作し易い上、津浪により破壊された家屋や家具、流木、その他とりわけ尖ったものが物凄い勢いと圧力で流されてきても、その衝撃に耐え、内部の人間を保護する。また、これらの強化板材は魚や鳥等の外敵の襲来からも保護する。
【００１７】
請求項３記載の救助用浮遊球体は、その外周面部と強化板材が、半透明のゴム製又はビニール製又はプラスチック製で伸縮自在に形成されているので、不使用時には小さく収納して格納に便利な上、地震時に素早く膨らませて使用でき迅速性に優れる。さらに、中空内部スペース内の人間が、外部の様子をうかがい知ることができ、また救助の際の様子が判って安全性にも優れている。
【００１８】
請求項４記載の救助用浮遊球体は、その外周面部に設置される個々の強化板材に、自発光可能な成分が含有されているので、昼夜を問わず海面を浮遊しても目立って目印となり、可及的速やかなる救助に寄与する。
【００１９】
請求項５記載の救助用浮遊球体は、その外周面部と中空内部スペースを仕切る球体状の内部仕切り面部との間が、膨張室として形成されているので、請求項６記載のように、当該膨張室に、炭酸ガスボンベにより炭酸ガスが充填され、収縮状態の浮遊球体が素早く膨張し、球体を維持することができる。また、この膨張室による二重構造は、中空内部スペースの温度を保持する効能もある。
【００２０】
請求項７記載の救助用浮遊球体は、その外周面部に吊り環が設けられているので、上空のヘリコプターからのワイヤーを当該吊り環に引掛けて、確実に当該浮遊球体を吊り上げて移動し、安全な場所に下ろして中の人間が救助される。
【００２１】
請求項８記載の救助用浮遊球体は、その内部等にＧＰＳが備え付けられているので、海上を浮遊しつつ中空内部スペース内の人間は現在位置を確認し、その適格な場所を指示して救助を求めることができる。
【発明を実施するための最良の形態】
【００２２】
本実施形態の救助用浮遊球体は、大規模な地震によって大きな津浪が発生した際の使用に好適であり、中空内部スペース２に人間ｂが入り込んで緊急避難し、海水等の水面１を浮遊してヘリコプター等の救助を求めて待機する。以下、本発明の好適な実施形態を、図面に基づいて説明する。但し、本実施形態に限定されるものではない。
【００２３】
図１と図２にこの救助用浮遊球体ａの全体構成を示した。
【００２４】
本実施形態の浮遊球体ａは、収縮と膨張が自在な半透明のゴム製やビニール製等で膨張時に二重構造の球体をなし、内側の中空内部スペース２に、少なくとも１人の人間ｂが入り込めるスペースを有する。
【００２５】
当該二重構造は、外側の球状の外周面部５（最大直径が約１０５ｃｍ）と、その中に配設された内側の球状の内部仕切り面部１２とによって形成され、前記内部仕切り面部１２の内側空間は、人間ｂが1人入り込める中空内部スペース２とされている。なお、この中空内部スペース２に入り込んだ人間ｂの姿勢は、図２に示したように足を抱え込んで丸く上向きの状態が好ましい。水面１に安定して漂流し、半透明の浮遊球体ａの外部（上空）の様子を常時把握できるからである。
【００２６】
前記外周面部５と内部仕切り面部１２との間が、膨張室１３として形成されており、外周面部５に当該膨張室１３につながる逆止弁付き注入孔１１が設けられている。
【００２７】
したがって、この浮遊球体ａが通常格納時の収縮状態からを膨張させるには、前記注入孔１１に、図４に例示したような炭酸ガスボンベ１０の注入口１０ａを挿し込み、膨張室１３に炭酸ガスを充填して簡単に膨張でき、球体が形成・維持される。
【００２８】
当該浮遊球体ａの外周面部５の一部に、前記中空内部スペース２に通ずる扉体３が形成されている。この扉体３は観音開き式の２枚組とされ、２枚の扉体３、３の端縁部４、４は、図３に示したように段状とし相互に嵌合される。
【００２９】
よって、当該扉体３、３の閉じ状態で、段状の端縁部４、４に生じた僅かな隙間をも浮遊球体ａの外周面部５の内外で面ファスナー６、６により留めて閉塞することができ、海水の浸入が確実に防止される。
【００３０】
また、この浮遊球体ａは、その外周面部５の全面に亘り複数の強化板材７・・・が設置されている。個々の強化板材７は、図５Ａに示したようなゴム製で半透明の六角形状に形成されている。但し、材質はこのゴム製に限らず、ビニール製やプラスチック製等であってもよく、また必ずしもこの六角形状に限定されるものではない。耐水性・耐久性があって透明に近く、軽量で設置し易いものであればよい。
【００３１】
この強化板材７を、図５Ｂに示した要領で互いに隙間無く浮遊球体ａの外周面部５を埋めるように複数貼付して設置し、亀の甲のような外観を呈する浮遊球体ａを形成する（図１では図示を省略した）。但し、外周面部５の製作時に強化板材７・・・を同時に製作しても良い。
【００３２】
なお、前記個々の強化板材７・・・に、自発光可能で識別し易いオレンジ色の成分を含有させる形態で実施すれば、昼間でもはっきりと浮遊球体ａを識別でき、海上等の水面１を浮遊して漂流しても遠くから発見し易く、救助に役立つ。
【００３３】
救助に際しては、浮遊球体ａの外周面部５に設けられた吊り環８を利用できる。上記扉体３、３の各端縁部４の近傍位置に２つの吊り環８、８が設置されている。
【００３４】
したがって、図示を省略した上空のヘリコプターや船舶等からのワイヤーを前記吊り環８に引掛けられ、当該浮遊球体ａを楽に吊り上げて救助できるようになっている。
【００３５】
さらに、当該浮遊球体ａの中に、ソーラー電池付きのＧＰＳ９や図示を省略した飲料水等を予め入れておくと便利である。
【００３６】
そして、上記浮遊球体ａを使用しない間は、上述した浮遊球体ａや吊り環８、ＧＰＳ９、炭酸ガスボンベ１０、飲料水等を、溶け易い袋（図示は省略）の中に入れて小さく収納しておくことができる。
【図面の簡単な説明】
【００３７】
【図１】本発明の救助用浮遊球体の一部省略の全体平面図である。
【００３８】
【図２】救助用浮遊球体の使用状態を示した断面説明図である。
【００３９】
【図３】炭酸ガスボンベを示した斜視図である。
【００４０】
【図４】浮遊球体の扉体の接続要領を示した一部切欠拡大説明図である。
【００４１】
【図５】Ａ、Ｂは強化板材の単体と複合体を示した正面図である。
【符号の説明】
【００４２】
ａ    浮遊球体
ｂ    人間
１    水面
２    中空内部スペース
３    扉体
４    端縁部
５    外周面部
６    面ファスナー
７    強化板体
８    吊り環
９    ＧＰＳ
１０  炭酸ガスボンベ
１２  内部仕切り面部
１３  膨張室
【図１】
2006306259.tif 000003
【図２】
2006306259.tif 000004
【図３】
2006306259.tif 000005
【図４】
2006306259.tif 000006
【図５】
2006306259.tif 000007